(57)【特許請求の範囲】
【請求項１】
コンテナを積載した車両が通過する経路の上部に、前記車両と前記コンテナの通過を検知するための第１のセンサと、
前記第１のセンサの近傍であって、前記車両に積載された前記コンテナの上面を撮像可能に配置された撮像手段と、を配置し、
前記撮像手段により撮像された画像を記録する記憶部と、前記撮像手段により撮像された画像を一時的に保存する一時記憶部と、前記第１のセンサからの検知信号が入力されることにより、前記撮像手段に対して連続して撮像を行う旨の信号を出力すると共に、撮像された連続画像を前記一時記憶部に保存し、前記連続画像のうち、撮像時間が連続する画像のうちのコンテナ上面に少なくとも重なる部分ができる間隔として予め定められた時間間隔で撮像された画像を記録画像データとして選択して前記記憶部に記録し、残りの画像データを削除する処理を行う演算部を備える制御手段を有することを特徴とするコンテナ上面状態記録システム。
【請求項２】
コンテナを積載した車両が通過する経路の上部に、前記車両と前記コンテナの通過を検知するための第１のセンサと、
前記第１のセンサの近傍であって、前記車両に積載された前記コンテナの上面を撮像可能に配置された撮像手段と、
前記車両の進行方向に沿って、前記撮像手段を介して前記第１のセンサと反対側となる位置に配置されて前記車両と前記コンテナの通過を検知する第２のセンサと、を配置し、
前記撮像手段により撮像された画像を記録する記憶部と、前記撮像手段により撮像された画像を一時的に保存する一時記憶部と、前記第１のセンサ及び前記第２のセンサからの検知信号が同時に入力されることにより、前記撮像手段に対して連続して撮像を行う旨の信号を出力すると共に、撮像された連続画像を前記一時記憶部に保存し、前記連続画像のうち、撮像時間が連続する画像のうちの少なくとも一部を削除した残りの画像を記録画像データとして前記記憶部に記録する処理を行う演算部を備える制御手段を有し、
前記第１のセンサと前記第２のセンサとの配置距離は、前記車両におけるトレーラヘッドの運転席部分の平均距離よりも長く、前記運転席部分から前記コンテナまでの距離よりも短いものとしたことを特徴とするコンテナ上面状態記録システム。
【請求項３】
前記演算部は、前記連続画像の中から等間隔の時間毎に撮像された画像を選出して前記記録画像データを作成して前記記憶部に記録し、残りの画像を削除する構成としたことを特徴とする請求項２に記載のコンテナ上面状態記録システム。
【請求項４】
前記第１のセンサ又は前記第２のセンサのうちの前記車両の進行方向下流側に位置するセンサを基準とした下流側に、前記車両と前記コンテナの通過を検知する第３のセンサを配置し、
前記演算部は、前記第３のセンサによる検知信号が、前記下流側に位置するセンサからの検知信号と同時に入力された場合に、通過した前記車両が４０フィートコンテナを積載している車両であると判定し、前記第３のセンサによる検知信号のみが入力された場合に、通過した前記車両が２０フィートコンテナを積載している車両であると判定し、前記連続画像の中から、各コンテナを積載する車両に定められた減速度合いに応じた時間間隔で撮像された画像を選出して前記記録画像データを作成して前記記憶部に記録し、残りの画像を削除する構成とし、
前記第１のセンサ又は前記第２のセンサのうちの下流側に位置するセンサから、前記第３のセンサまでの距離を、前記２０フィートコンテナの長さより長く、前記２０フィートコンテナを積載した車両の後端から前記トレーラヘッドの後端までの長さより短く設定したことを特徴とする請求項２に記載のコンテナ上面状態記録システム。
【発明の詳細な説明】
【技術分野】
【０００１】
本発明は、輸送コンテナの状態を記録する技術に係り、特にトレーラにより搬入されるコンテナ上面の状態を記録するシステムに関する。
【背景技術】
【０００２】
港湾などにおけるコンテナターミナルでは、輸送中にコンテナが破損し、雨水がコンテナ内に侵入することで貨物が汚損した場合に、コンテナの破損がどの段階で生じていたのかを記録するために、入口ゲート等においてコンテナに対するダメージの有無がチェックされている。
【０００３】
コンテナ上面のダメージチェックは従来、例えば作業者がコンテナに登り、目視により検査したり、コンテナ内に作業者が入り、光の漏れなどにより確認したりという作業で行われていたが、作業者の負担が大きく、検査自体に時間がかかり過ぎるという問題があった。このような実状を鑑み、特許文献１に開示されているようなコンテナのダメージチェックシステムが提案されている。
【０００４】
特許文献１に開示されているコンテナダメージチェックシステムは、コンテナを積載した車両が停止するゲートに、停止車両の上面を進行方向に沿って移動可能なラインスキャナ式カメラを配置するという構成が採られている。このような構成のコンテナダメージチェックシステムでは、ゲートで車両が停止した際、ラインカメラをコンテナの長手方向に移動させながら連続撮像を行い、これを画像として記録するという手段が採られている。
【先行技術文献】
【特許文献】
【０００５】
【特許文献１】特開２００２−１７００９９号公報
【発明の概要】
【発明が解決しようとする課題】
【０００６】
特許文献１に開示されているコンテナダメージチェックシステムによれば、作業者がコンテナに登ったり、コンテナの中に入るという必要が無くなるため、作業者の労力が軽減されると共に、検査時間の低減を図ることができる。また、記録としてデータを残すことができるため、問題が生じた際の検証に使用することができる。
【０００７】
しかし、特許文献１に開示されているコンテナダメージチェックシステムでは、ラインカメラにより一定の間隔で撮像が行われるため、車両を停止させ、カメラ自体を一定速度で移動させる必要がある。よって、依然として検査のための車両停車時間が必要であると共に、カメラを移動させるためのレールや駆動手段など、大掛かりで高価な設備が必要となるといった問題がある。
【０００８】
そこで本発明では、簡易な構成で、車両がゲートを通過する流れの中での状態記録を可能とするコンテナ上面状態記録システムを提供することを目的とする。
【課題を解決するための手段】
【０００９】
上記目的を達成するための本発明に係るコンテナ上面状態記録システムは、コンテナを積載した車両が通過する経路の上部に、前記車両と前記コンテナの通過を検知するための第１のセンサと、前記第１のセンサの近傍であって、前記車両に積載された前記コンテナの上面を撮像可能に配置された撮像手段と、を配置し、前記撮像手段により撮像された画像を記録する記憶部と、前記撮像手段により撮像された画像を一時的に保存する一時記憶部と、前記第１のセンサからの検知信号が入力されることにより、前記撮像手段に対して連続して撮像を行う旨の信号を出力すると共に、撮像された連続画像を前記一時記憶部に保存し、前記連続画像のうち、撮像時間が連続する画像のうちのコンテナ上面に少なくとも重なる部分ができる間隔として予め定められた時間間隔で撮像された画像を記録画像データとして選択して前記記憶部に記録し、残りの画像データを削除する処理を行う演算部を備える制御手段を有することを特徴とする。
【００１０】
また、上記目的を達成するための本発明に係るコンテナ上面状態記録システムとしては、コンテナを積載した車両が通過する経路の上部に、前記車両と前記コンテナの通過を検知するための第１のセンサと、前記第１のセンサの近傍であって、前記車両に積載された前記コンテナの上面を撮像可能に配置された撮像手段と、前記車両の進行方向に沿って、前記撮像手段を介して前記第１のセンサと反対側となる位置に配置されて前記車両と前記コンテナの通過を検知する第２のセンサと、を配置し、前記撮像手段により撮像された画像を記録する記憶部と、前記撮像手段により撮像された画像を一時的に保存する一時記憶部と、前記第１のセンサ及び前記第２のセンサからの検知信号が同時に入力されることにより、前記撮像手段に対して連続して撮像を行う旨の信号を出力すると共に、撮像された連続画像を前記一時記憶部に保存し、前記連続画像のうち、撮像時間が連続する画像のうちの少なくとも一部を削除した残りの画像を記録画像データとして前記記憶部に記録する処理を行う演算部を備える制御手段を有し、前記第１のセンサと前記第２のセンサとの配置距離は、前記車両におけるトレーラヘッドの運転席部分の平均距離よりも長く、前記運転席部分から前記コンテナまでの距離よりも短いものとしたことを特徴とするものであっても良い。
【００１１】
また、上記のような特徴を有するコンテナ上面状態記録システムにおいて前記演算部は、前記連続画像の中から等間隔の時間毎に撮像された画像を選出して前記記録画像データを作成して前記記憶部に記録し、残りの画像を削除する構成とすると良い。
【００１２】
上記特徴を有することによれば、連続して記録された画像データのうちの重複部分が多く含まれる画像データを削除し、残りの部分を記録画像データとすることができる。よって、記憶部に記録する画像データの容量を小さくすることができる。
【００１３】
さらに、上記のような特徴を有するコンテナ上面状態記録システムのうち、第２のセンサを有するものは、前記第１のセンサ又は前記第２のセンサのうちの前記車両の進行方向下流側に位置するセンサを基準とした下流側に、前記車両と前記コンテナの通過を検知する第３のセンサを配置し、前記演算部は、前記第３のセンサによる検知信号が、前記下流側に位置するセンサからの検知信号と同時に入力された場合に、通過した前記車両が４０フィートコンテナを積載している車両であると判定し、前記第３のセンサによる検知信号のみが入力された場合に、通過した前記車両が２０フィートコンテナを積載している車両であると判定し、前記連続画像の中から、各コンテナを積載する車両に定められた減速度合いに応じた時間間隔で撮像された画像を選出して前記記録画像データを作成して前記記憶部に記録し、残りの画像を削除する構成とし、前記第１のセンサ又は前記第２のセンサのうちの下流側に位置するセンサから、前記第３のセンサまでの距離を、前記２０フィートコンテナの長さより長く、前記２０フィートコンテナを積載した車両の後端から前記トレーラヘッドの後端までの長さより短く設定する構成とすることが望ましい。
【００１４】
上記特徴を有することによれば、通過車両に搭載されたコンテナの規格を判定し、当該規格のコンテナを積載した車両の減速度合いに応じて、記録画像データの取捨選択を行うことができる。よって、撮像部位の重複が少なく、かつ漏れの無い記録画像データを構成することができ、記録画像データの効率的な容量低減を図ることができる。
【発明の効果】
【００１５】
上記のような特徴を有するコンテナ上面状態記録システムによれば、簡易な構成で、車両がゲートを通過する流れの中でのコンテナ上面の状態記録を可能とすることができる。
【図面の簡単な説明】
【００１６】
【図１】第１の実施形態に係るコンテナ上面状態記録システムの構成と配置、およびコンテナ上面の状態記録の様子を示す図である。
【図２】第１の実施形態に係るコンテナ上面状態記録システムの構成を示すブロック図である。
【図３】第２の実施形態に係るコンテナ上面状態記録システムの構成と配置、およびコンテナ上面の状態記録の様子を示す図である。
【図４】第３の実施形態に係るコンテナ上面状態記録システムにおいて、２０フィートコンテナの上面状態記録を行う場合の様子を示す図である。
【図５】第３の実施形態に係るコンテナ上面状態記録システムにおいて、４０フィートコンテナの上面状態記録を行う場合の様子を示す図である。
【図６】第３の実施形態に係るコンテナ上面状態記録システムによる２０フィートコンテナ搭載車両と、４０フィートコンテナ搭載車両とのコンテナ上面状態記録の相違を説明するための図である。
【図７】２０フィートコンテナ搭載車両と４０フィートコンテナ搭載車両とにおける減速状態の違いと、画像データの選定状況の違いを説明するための図である。
【発明を実施するための形態】
【００１７】
以下、本発明のコンテナ上面状態記録システムに係る実施の形態について、図面を参照して詳細に説明する。まず、図１、図２を参照して、第１の実施形態に係るコンテナ上面状態記録システムについて説明する。
【００１８】
［第１実施形態］
本実施形態に係るコンテナ上面状態記録システム１０は、撮像手段１２と、第１のセンサ１４、および制御手段１６を基本として構成されている。撮像手段１２は、車両５０に積載されたコンテナ５４の上面を撮像するための手段である。撮像手段１２は、撮像範囲の角度をθ（幅方向（図中奥行方向）も同じ）とした場合に、コンテナ５４からの高さｈは、コンテナ上面の高さ位置において、コンテナ５４の幅よりも広い撮像範囲を持つように定めると良い。１つの撮像手段１２でコンテナ５４の上面範囲を撮像するためである。また、車両５０の走行位置のズレがあった場合であっても、コンテナ５４の上面全域が撮像範囲に包含されることとなるようにするためである。撮像手段１２は、撮像した画像の拡大、検証を行うことができるように、撮像素子が大きく、解像度が高いものとすることが望ましい。
【００１９】
第１のセンサ１４は、車両５０、およびコンテナ５４が撮像手段１２による撮像範囲に到達したことを検知するための手段である。第１のセンサ１４は、簡易かつ安価な検出手段であれば、具体的な構成を限定するものでは無いが、１例として、光電センサを挙げることができる。光電センサとしては、大別して、投光器と受光器が別体で構成される透過型のものや、投光器と受光器を一体型としつつ反射板を備える回帰反射型のもの、及び投光器と受光器が一体型であり、検出物からの反射光を拾う事により検知を行う拡散反射型のものが存在する。本実施形態の第１のセンサ１４として光電センサを採用する場合には、拡散反射型の光電センサを採用することが望ましい。
【００２０】
第１センサ１４の設置位置は、車両５０が通過する領域の上部であると良く、望ましくは車両５０が通過するラインの中央位置とすると良い。車両５０が通過する位置のズレによる未検出を防ぐためである。第１センサ１４の配置を車両５０の側面側とすることもできるが、車両５０が通過するラインの上部であれば、作業者がセンサの前を通過することによる誤認等を防ぐことができる。また、第１センサ１４の設置高さに関しては、その性能にもよるが、車両５０が接触しない高さであり、かつ検出範囲がコンテナ上面を基点としてプラス・マイナス１ｍ程度の範囲とすれば良い。よって、その高さは特に限定されるものでは無いが、概ね、撮像手段１２の設置高さｈに合わせるようにすると良い。
【００２１】
制御手段１６は、上述した第１のセンサ１４による検知信号に基づいて、上述した撮像手段１２に対して撮像する旨の信号を出力し、撮像された画像の一部を保存する役割を担う。制御手段１６は図２に示すように、少なくとも、インターフェース１８と、演算部２０、記憶部２２、および一時記憶部２４等を備え、各要素はバス２６により接続されて相互に信号の授受が可能な構成とされている。インターフェース１８は、撮像手段１２や第１のセンサ１４等の外部接続機器と内部要素との接続、通信を可能にするための要素である。演算部２０は、記憶部２２や一時記憶部２４に記録された情報の読み出し、判定などを行うための要素である。記憶部２２は、第１のセンサ１４と撮像手段１２との連携を図るための制御を行うためのソフトウエアや、撮像手段１２により撮像された画像から、記録するものと削除するものを取捨選択するための判定を行うソフトウエア、および撮像手段１２により撮像された画像をコンテナ情報と関連付けて記録するためのデータベースなどが記録されている。また、一時記憶部２４は、記憶部２２に記録されているソフトウエアを展開した際の情報や、外部から入力された情報などを記録し、演算部２０による処理の迅速化を図るための役割を担う、いわゆるメモリである。
【００２２】
次に、上記のような構成のコンテナ上面状態記録システム１０の動作について説明する。まず、図１（Ａ）に示すように、車両５０が第１のセンサ１４による検知範囲外に存在する、いわゆる待機状態の時、制御手段１６では、第１のセンサ１４と撮像手段１２との連携を図るためのソフトウエアが稼働している。このような状態で、車両５０が進行方向に進んでくると、図１（Ｂ）に示すように、第１のセンサ１４から投光された光が遮断、反射され、車両５０の進入が検知される。第１のセンサ１４は、光の反射を検出するとＯＮの状態となり、制御手段１６に対して、検知信号を送信する。検知信号が入力され、一時記憶部２４に記録されると演算部２０は、車両５０の進入があったと判定し、撮像手段１２に対して所定の間隔で連続撮像を行う旨の信号を出力する制御を行う。
【００２３】
図１（Ｃ）に示すように、第１のセンサ１４が光の反射を検出している間（ＯＮの状態の間）、撮像手段１２には、制御手段１６からの撮像信号が出力され続ける。撮像信号を受けた撮像手段１２は、撮像信号に応じたタイミングで車両５０の上面（コンテナ５４の上面）の撮像を行い、撮像した画像データを制御手段１６に返送する。
【００２４】
図１（Ｄ）に示すように、車両５０が第１のセンサ１４による検出範囲から外れると、第１のセンサ１４は、ＯＦＦの状態となり、検知信号の出力が停止され、撮像手段１２によるコンテナ５４の上面の撮像も停止される。ここで、制御手段１６に送られた画像データは、時系列に沿って一時記憶部２４に記録されると共に、演算部２０により画像データを取捨選択するための判定を行うソフトウエア（以下、単に判定ソフトと称す）が稼働される。判定ソフトでは、連続して撮像された画像データのうち、時間的に連続する画像データ間において、少なくとも重なる部分ができる間隔として予め定められた時間間隔で撮像された画像を記録画像データとして選択し、残りの画像データを削除する。このような処理を行う事で、高画質、高解像度の大容量データの記録容量を減らしつつ、証拠としての記録を確実に残す事が可能となるからである。
【００２５】
記録画像データとして選択された複数の画像データは、時系列に並べられると共に、ゲート５６で入力されるコンテナ５４に関する情報に関連づけて、記憶部２２のデータベースに記録される。
【００２６】
このような制御を行うコンテナ上面状態記録システム１０によれば、貨物の汚損等が生じた際には、コンテナ情報に基づいてデータベースに記録された画像データを読み出し、ターミナルへの搬入時におけるコンテナ５４のダメージの有無を調べることができる。また、撮像された複数の画像データの中から選択された記録画像データのみを記憶部２２に記録する構成としたため、記録データの容量を減らしつつ、証拠としての記録を確実に残すことができる。
【００２７】
［第２実施形態］
次に、図３を参照して、第２の実施形態に係るコンテナ上面状態記録システムについて説明する。なお、本実施形態に係るコンテナ上面状態記録システム１０Ａも、その殆どの構成は、上述した第１の実施形態に係るコンテナ上面状態記録システム１０と同様である。よって、その機能を同一とする箇所には、図面に同一符号を付して、詳細な説明は省略することとする。
【００２８】
本実施形態に係るコンテナ上面状態記録システム１０Ａと、第１の実施形態に係るコンテナ上面状態記録システム１０との違いは、センサの数の違いと、このセンサの数の違いに基づく撮像開始のタイミングにある。具体的には、本実施形態に係るコンテナ上面状態記録システム１０Ａでは、車両５０の進行方向に沿って、撮像手段１２の下流側と上流側に、それぞれ第１のセンサ１４と第２のセンサ２８を設ける構成としている。ここで、第１のセンサ１４と第２のセンサ２８は共に、第１の実施形態に係るコンテナ上面状態記録システム１０と同様に、光電センサとすることができる。光電センサは、撮像手段１２に比べて安価であるため、その数を増やしたとしてもシステム構成費用の増大を抑えることができる。
【００２９】
ここで、第１のセンサ１４と第２のセンサ２８との間の配置間隔は、トレーラヘッド５２の運転席部分の長さよりも若干広く、トレーラヘッド５２の運転席部分からコンテナ５４までの間隔よりも狭いものとすると良い。トレーラヘッド５２の運転席部分の長さは、製造メーカーや車種等により種々異なるが、日本国内で使用されているトレーラヘッドを基準とした場合には、概ね２ｍ程度であれば良い。そして、本実施形態では、制御手段１６から撮像手段１２への撮像信号の出力は、第１のセンサ１４と第２のセンサ２８の双方からの検出信号を受けた際（第１のセンサ１４と第２のセンサ２８が共にＯＮの状態になった際）に出力するように制御している。
【００３０】
トレーラヘッド５２の高さｈ１は、運転席部分の長さと同様に、製造メーカーや車種等によって異なる。このため、トレーラヘッド５２の高さｈ１とコンテナ５４の上面までの高さｈ２とが近似している場合には、１つのセンサだけでは、検出したものが、トレーラヘッド５２であるのか、コンテナ５４であるのかを判定することが難しいという実状がある。本実施形態に係るコンテナ上面状態記録システム１０Ａのように、第１のセンサ１４と第２のセンサ２８とを、所定の間隔ｄをあけて配置し、２つのセンサによる同時検出による撮像とすることで、次のような検出制御を行うことが可能となる。
【００３１】
すなわち、車両が進入して来た際、最初に図３（Ａ）に示すように第２のセンサ２８による検出が成される。第２のセンサ２８がＯＮになる事により、第２のセンサ２８からの検出信号が制御手段１６に送られるが、この時点では、撮像手段１２に対する撮像信号の出力は行われない。次に、図３（Ｂ）に示すように車両５０が進行すると、第２のセンサがＯＦＦとなり、第１のセンサ１４がＯＮとなる。この状態においても制御手段１６では、２つのセンサのうちのいずれか一方のみの検出信号しか受信されていないため、撮像信号の出力は行われない。
【００３２】
さらに車両５０の進行が進むと、図３（Ｃ）に示すように、第２のセンサ２８が再びＯＮとなり、第１のセンサ１４がＯＦＦとなった後、図３（Ｄ）に示すように、第２のセンサ２８、第１のセンサ１４が共にＯＮとなる。これにより、制御手段１６では、コンテナ５４が検出されたと判定し、撮像信号が出力され、撮像手段１２による撮像が開始される。連続撮像が行われ、第２のセンサ２８がＯＦＦとなった時点で撮像信号の出力は停止され、連続撮像が中止されるが、撮像終了時点において、コンテナ５４上面の後端部分も撮像手段１２による撮像範囲内に入ることとなる。
【００３３】
このような制御を可能とするコンテナ上面状態記録システム１０Ａによれば、センサによって検出されたものがトレーラヘッド５２であるか、コンテナ５４であるかを判定することができ、コンテナ５４のみを連続撮像することができる。よって、コンテナ５４の状態確認に不要なトレーラヘッド５２の上面を撮像する事が無く、記録容量の無駄を省くことができる。その他の構成、作用、効果については、上述した第１の実施形態に係るコンテナ上面状態記録システムと同様である。
【００３４】
［第３実施形態］
次に、図４から図７を参照して、第３の実施形態に係るコンテナ上面状態記録システムについて説明する。なお、本実施形態に係るコンテナ上面状態記録システム１０Ｂも、その殆どの構成は、上述した第２の実施形態に係るコンテナ上面状態記録システム１０Ａと同様である。よって、その機能を同一とする箇所には、図面に同一符号を付して、詳細な説明は省略することとする。
【００３５】
本実施形態に係るコンテナ上面状態記録システム１０Ｂと、第２の実施形態に係るコンテナ上面記録システム１０Ａとの違いは、センサの数を更に増やし、その判定機能を向上させた点にある。具体的には、第１のセンサ１４の下流側に第３のセンサ３０を設ける構成としている。第１のセンサ１４と第３のセンサ３０との距離Ｌは、２０フィートコンテナ５４ａの長さより少し長く（例えば３００ｍｍ程度）なるように設定すると良い。このような距離設定とすることで、２０フィートコンテナ５４ａを搭載した車両５０ａの場合、図４に示すように、第３のセンサ３０がＯＮになった際に第１のセンサ１４（第２のセンサ２８）がＯＦＦとなる。一方、４０フィートコンテナ５４ｂを搭載した車両５０ｂの場合、図５に示すように、第３のセンサ３０がＯＮになった際に第１のセンサ１４（第２のセンサ２８）もＯＮの状態となる。これにより、通過車両が２０フィートコンテナ５４ａを搭載した車両５０ａであるのか、４０フィートコンテナ５４ｂを搭載した車両５０ｂであるのかを判定することができるようになる。
【００３６】
より具体的には、図６の（Ａ）〜（Ｄ）に示すように、２０フィートコンテナ５４ａを搭載した車両５０ａの場合、図６（Ａ）に示す状態では、第１のセンサ１４と第２のセンサ２８がＯＦＦであるため、撮像状態もＯＦＦとなる。次に図６（Ｂ）に示す状態まで車両５０ａが進行すると、第１のセンサ１４と第２のセンサ２８の双方がＯＮとなり、撮像状態もＯＮとなる。さらに車両５０ａが進行し、図６（Ｃ）に示す状態に至ると、第３のセンサ３０がＯＮとなるが、第１のセンサ１４と第２のセンサ２８がＯＦＦとなっているため、撮像状態はＯＦＦとなり、通過車両が２０フィートコンテナ５４ａを搭載している車両５０ａであるということを判定することができる。そして、図６（Ｄ）の位置まで車両５０ａが進行し、停止する。図６（Ｄ）の位置では、図６（Ｃ）の位置と同様に第３のセンサ３０がＯＮ、第１のセンサ１４と第２のセンサ２８がＯＦＦであるため、撮像状態はＯＦＦとなる。
【００３７】
次に、図６の（Ｅ）〜（Ｈ）に示すように、４０フィートコンテナ５４ｂを搭載した車両５０ｂの場合、図６（Ｅ）に示す状態では、第１のセンサ１４と第２のセンサ２８がＯＦＦであるため、撮像状態もＯＦＦとなる。次に、図６（Ｆ）に示す状態まで車両５０ｂが進行すると、第１のセンサ１４と第２のセンサ２８の双方がＯＮとなり、撮像状態もＯＮとなる。さらに車両５０ｂが進行し、図６（Ｇ）に示す状態に至った際には、第３のセンサ３０がＯＮとなった状態で、第１のセンサ１４と第２のセンサ２８もＯＮの状態となり、撮像状態が継続してＯＮとなっている。これにより、通過車両が４０フォートコンテナ５４ｂを搭載している車両５０ｂであるということを判定することができる。そして、図６（Ｈ）の位置まで車両５０ｂが進行すると、車両５０ｂは停止する。図６（Ｈ）の位置では、第３のセンサ３０はＯＮであるものの、第１のセンサ１４、第２のセンサ２８がＯＦＦとなっているため、撮像状態はＯＦＦとなる。
【００３８】
コンテナターミナル等におけるゲート５６では、ゲート５６を通過する際の手続を行うために、車両５０に対する停止位置が定められている。この停止位置は、コンテナ５４の大きさに関わらず、２０フィートコンテナ５４ａを搭載した車両５０ａも、４０フィートコンテナ５４ｂを搭載した車両５０ｂも同じである。このため、停止位置の手前に載置されている本実施形態に係るコンテナ上面状態記録システム１０Ｂの下を通過する車両５０は、２０フィートコンテナ５４ａを搭載した車両５０ａと、４０フィートコンテナ５４ｂを搭載した車両５０ｂとでは、通過速度が異なることとなる。すなわち、２０フィートコンテナ５４ａを搭載した車両５０ａに比べて４０フィートコンテナ５４ｂを搭載した車両５０ｂは、制動距離が長くなるため、制動開始時が早く、停止位置から遠い。よって、通過車両５０が２０フィートコンテナ５４ａを搭載した車両５０ａであるか、４０フィートコンテナ５４ｂを搭載した車両５０ｂであるかを判定することで、記憶部２２に記録する記録画像データの選定を効率的に行うことが可能となる。
【００３９】
例えば図７（Ａ）に示すように、２０フィートコンテナ５４ａを搭載した車両５０ａの場合、撮像開始時点（Ｔｓの時点）では、制動体勢に入っていないため、通過速度（Ｖ）が速い。つまり、所定時間（Ｔ）内に撮像手段１２の真下を通過するコンテナ５４ａの距離が長いこととなる。一方、コンテナ５４ａの終端側、すなわち撮像終了時点（Ｔｅの時点）では、停止位置に停止するための制動が行われているため、車両５０ａの通過速度は遅くなっている。つまり、所定時間（Ｔ）内に撮像手段１２の真下を通過するコンテナ５４ａの距離は短くなっている。この撮像開始時点（Ｔｓ）から撮像終了時点（Ｔｅ）までの速度変化は、同型のコンテナ５４を搭載した車両５０では、ほぼ同じ傾向を示す。そして、撮像手段１２が撮像可能なコンテナ５４の範囲は、画角（角度θと高さｈ）によって決まっているため、速度変化に応じて選出する画像データの時系列間隔を変化させることで、重複撮像部位が少なく、かつ撮像範囲に漏れの無い記録画像データを選出することができる。これにより、記録データの容量を効果的に抑制することができる。
【００４０】
車両５０の速度と選出する画像データの撮像時間の関係は、概ね、次のようにすると良い。すなわち、速度と時間によって区切られる範囲の面積（図７（Ａ）においては、Ｓ１ａ〜Ｓ４ａ）が、等しくなるような時間間隔で撮像された画像を選択すると良い。なお、各時間間隔で撮像された画像データ間に、少なくとも一部、重複撮像部位が存在することとなるタイミングは、予め実験等により求めておくようにする。
【００４１】
図７（Ｂ）に示す４０フィートコンテナ５４ｂを搭載した車両５０ｂの場合、上述したように、２０フィートコンテナ５４ａを搭載した車両５０ａよりも制動体勢に入るタイミングが早く、撮像開始時点（Ｔｓ）で、既に制動体勢に入っている。よって、選出する画像データの時間間隔は、図７（Ａ）に示す２０フィートコンテナ５４ａを搭載した車両５０ａよりも長くすることで、Ｓ１ｂ〜Ｓ４ｂとＳ１ａ〜Ｓ４ａが等しくなる。
【００４２】
このように、第３のセンサ３０を設置して通過車両５０の判定を行うことで、記録画像データの選定の無駄を無くし、記録容量のスリム化を図ることができる。なお、図７においては、画像データの選出を行う時間間隔の違いを説明するために、２０フィートコンテナ５４ａと４０フィートコンテナ５４ｂの画像データの選出数が同じであるように示している。しかしながら上述したように、撮像手段１２が撮像可能なコンテナ５４の範囲は、画角によって決まっている。このため、２０フィートコンテナ５４ａよりも長く、撮像範囲が広い４０フィートコンテナ５４ｂは、２０フィートコンテナ５４ａの記録画像データに比べて、記録画像データの数が多くなる。その他の構成、作用、効果については、上述した第１、第２の実施形態に係るコンテナ上面状態記録システム１０，１０Ａと同様である。
【符号の説明】
【００４３】
１０，１０Ａ，１０Ｂ………コンテナ上面状態記録システム、１２………撮像手段、１４………第１のセンサ、１６………制御手段、１８………インターフェース、２０………演算部、２２………記憶部、２４………一時記憶部、２６………バス、２８………第２のセンサ、３０………第３のセンサ、５０，５０ａ，５０ｂ………車両、５２………トレーラヘッド、５４………コンテナ、５４ａ………２０フィートコンテナ、５４ｂ………４０フィートコンテナ、５６………ゲート。
【図１】
0006766994.tif 000002
【図２】
0006766994.tif 000003
【図３】
0006766994.tif 000004
【図４】
0006766994.tif 000005
【図５】
0006766994.tif 000006
【図６】
0006766994.tif 000007
【図７】
0006766994.tif 000008